(57)【要約】【課題】他人から覗き見されるリスクがあると判断した場合、他人から覗き見されないような設定を自動的に行う携帯機器や情報表示装置を提供する。【解決手段】周辺の状況を撮影するカメラ２と各種情報を画面表示する表示装置３とを少なくとも備え、視線監視処理部４にて、カメラ２によって撮影された撮影映像を解析し、表示装置３の画面に視線を向けている１ないし複数の他人が周辺に存在していることを検知した場合に、前記他人の視線の個数およびそれぞれの視線方向の角度を抽出し、フィルタ制御処理部５にて、視線監視処理部４が抽出した前記他人の視線の個数や視線方向の角度に関する情報に基づいて、表示装置３の画面に表示する表示情報に対して前記他人からは該表示情報を読み取ることが不可能となるフィルタ処理を施した後、表示装置３の画面に表示情報を画面表示する。【選択図】        図１
2012129701.tif 000002
【特許請求の範囲】
【請求項１】
周辺の状況を撮影する撮像部と各種情報を画面表示する画面表示部とを少なくとも備えた携帯機器であって、前記撮像部によって撮影された撮影映像を解析し、当該携帯機器の前記画面表示部の画面に視線を向けている１ないし複数の他人が当該携帯機器のユーザ本人の周辺に存在していることを検知した場合に、前記他人の視線の個数およびそれぞれの視線方向の角度を抽出する視線監視処理部と、該視線監視処理部が抽出した前記他人の視線の個数や視線方向の角度に関する情報に基づいて、前記画面表示部の画面に表示する表示情報に対して前記他人からは該表示情報を読み取ることが不可能となるフィルタ処理を施すフィルタ制御処理部とを少なくとも備えてなることを特徴とする携帯機器。
【請求項２】
前記撮像部は、前記画面表示部の画面が配置されている面と同じ面に配置されていることを特徴とする請求項１に記載の携帯機器。
【請求項３】
周辺の状況を撮影する撮像部と各種情報を画面表示する画面表示部とを少なくとも備えた情報表示装置であって、前記撮像部によって撮影された撮影映像を解析し、当該携帯機器の前記画面表示部の画面に視線を向けている１ないし複数の他人が当該携帯機器のユーザ本人の周辺に存在していることを検知した場合に、前記他人の視線の個数およびそれぞれの視線方向の角度を抽出する視線監視処理部と、該視線監視処理部が抽出した前記他人の視線の個数や視線方向の角度に関する情報に基づいて、前記画面表示部の画面に表示する表示情報に対して前記他人からは該表示情報を読み取ることが不可能となるフィルタ処理を施すフィルタ制御処理部とを少なくとも備えてなることを特徴とする情報表示装置。
【請求項４】
前記撮像部は、前記画面表示部の画面が配置されている面と同じ面に配置されていることを特徴とする請求項３に記載の情報表示装置。
【請求項５】
周辺の状況を撮影する撮像部と各種情報を画面表示する画面表示部とを少なくとも備えた携帯機器または情報表示装置におけるプライバシー保護方法であって、前記撮像部によって撮影された撮影映像を解析し、当該携帯機器の前記画面表示部の画面に視線を向けている１ないし複数の他人が当該携帯機器のユーザ本人の周辺に存在していることを検知した場合に、前記他人の視線の個数およびそれぞれの視線方向の角度を抽出する視線監視処理ステップと、該視線監視処理ステップにて抽出した前記他人の視線の個数や視線方向の角度に関する情報に基づいて、前記画面表示部の画面に表示する表示情報に対して前記他人からは該表示情報を読み取ることが不可能となるフィルタ処理を施すフィルタ制御処理ステップとを少なくとも有してなることを特徴とするプライバシー保護方法。
【請求項６】
前記撮像部は、前記画面表示部の画面が配置されている面と同じ面に配置されていることを特徴とする請求項５に記載のプライバシー保護方法。
【請求項７】
前記フィルタ制御処理ステップにおけるフィルタ処理として、前記他人の視線の個数や視線方向の角度に応じて該当する適切なフィルタ処理を選択して、選択した該フィルタ処理を前記表示情報に掛けることによって、該表示情報のコントラストを制御する画像変換処理を施すことを特徴とする請求項５または６に記載のプライバシー保護方法。
【請求項８】
前記フィルタ制御処理ステップにおけるフィルタ処理として、前記他人の視線の個数や視線方向の角度に応じて該当する適切な画像を選択して、選択した該画像を前記表示情報と重ね合わせることによって、該表示情報と背景とのコントラスト比を制御することを特徴とする請求項５または６に記載のプライバシー保護方法。
【請求項９】
前記フィルタ制御処理ステップにおけるフィルタ処理として、前記他人の視線の個数や視線方向の角度に応じて、前記表示情報を視認することができる視野角を制御することを特徴とする請求項５または６に記載のプライバシー保護方法。
【請求項１０】
請求項５ないし９のいずれかに記載のプライバシー保護方法を、コンピュータによって実行可能なプログラムとして実施していることを特徴とするプライバシー保護プログラム。
【発明の詳細な説明】
【技術分野】
【０００１】
本発明は、携帯機器、情報表示装置、プライバシー保護方法およびプライバシー保護プログラムに関し、特に、カメラを利用して他人の視線を監視することにより画面表示した表示情報のプライバシー制御を行う携帯装置、情報表示装置、プライバシー保護方法およびプライバシー保護プログラムに関する。
【０００２】
ここで、本発明は、カメラと画面表示部とを有する携帯機器のみならず、ＰＣ（Personal  Computer）やＡＴＭ（Automated  Teller  Machine:現金自動預け払い機）等の画面表示部を有する情報表示装置にもカメラを搭載することにより好適に適用することができる。
【背景技術】
【０００３】
携帯電話等の携帯機器の普及によって、いつでも、どこでも、インターネットのＷｅｂページの情報や電子メールの内容を画面表示して確認することができるようになった。しかし、一方では、携帯電話等の携帯機器に画面表示した表示情報に関して、他人には見られたくない情報を他人に覗き見されるというリスクも抱えている。
【０００４】
そのため、他人に情報を覗き見されることを防ぎ、プライバシーを守るために、特許文献１の特開２００４−２６４７９６号公報「覗き見防止具」等に記載されているように、表示画面上にフィルムシート（プライバシーシート）を貼付することや、特許文献２の特開２００１−１３４４１３号公報「情報表示装置」や特開２００７−１２１９６９号公報「情報処理装置およびその制御方法」等に記載されているように、画面表示内容を見え難くする機能が提案されている。
【先行技術文献】
【特許文献】
【０００５】
【特許文献１】特開２００４−２６４７９６号公報（第２−３頁）
【特許文献２】特開２００１−１３４４１３号公報（第６−８頁）
【特許文献３】特開２００７−１２１９６９号公報（第４−６頁）
【発明の概要】
【発明が解決しようとする課題】
【０００６】
前述したように、従来の携帯電話等の携帯機器においては、画面表示した情報を他人に覗き見されないようにするために、視野角を狭くするフィルムシートを表示画面上に貼付したり、あるいは、ユーザの操作により、画面表示内容を見え難くしたりする機能が提案されている。
【０００７】
しかし、フィルムシートは、他人からの覗き見を防止するだけではなく、携帯電話等の携帯機器のユーザ本人にも、視野角の制約が伴い、不利益が生じてしまうという問題がある。また、画面表示内容を見え難くするというユーザ操作についても、ユーザが周囲の状況を把握して、見え難くする設定を人為的に行うことが必要であり、設定し忘れが発生し易く、他人から覗き見をされるリスクが高いという問題がある。
【０００８】
（本発明の目的）
本発明は、かかる事情に鑑みてなされたものであり、画面表示部を有する携帯機器や情報表示装置において、周囲に居る他人の視線を監視して、他人から覗き見されるリスクがあると判断した場合、他人から覗き見されないような設定を自動的に行う携帯機器、情報表示装置、プライバシー保護方法およびプライバシー保護プログラムを提供することを、その目的としている。
【課題を解決するための手段】
【０００９】
前述の課題を解決するため、本発明による携帯機器、情報表示装置、プライバシー保護方法およびプライバシー保護プログラムは、主に、次のような特徴的な構成を採用している。
【００１０】
（１）本発明による携帯機器は、周辺の状況を撮影する撮像部と各種情報を画面表示する画面表示部とを少なくとも備えた携帯機器であって、前記撮像部によって撮影された撮影映像を解析し、当該携帯機器の前記画面表示部の画面に視線を向けている１ないし複数の他人が当該携帯機器のユーザ本人の周辺に存在していることを検知した場合に、前記他人の視線の個数およびそれぞれの視線方向の角度を抽出する視線監視処理部と、該視線監視処理部が抽出した前記他人の視線の個数や視線方向の角度に関する情報に基づいて、前記画面表示部の画面に表示する表示情報に対して前記他人からは該表示情報を読み取ることが不可能となるフィルタ処理を施すフィルタ制御処理部とを少なくとも備えてなることを特徴とする。
【００１１】
（２）本発明による情報表示装置は、周辺の状況を撮影する撮像部と各種情報を画面表示する画面表示部とを少なくとも備えた情報表示装置であって、前記撮像部によって撮影された撮影映像を解析し、当該携帯機器の前記画面表示部の画面に視線を向けている１ないし複数の他人が当該携帯機器のユーザ本人の周辺に存在していることを検知した場合に、前記他人の視線の個数およびそれぞれの視線方向の角度を抽出する視線監視処理部と、該視線監視処理部が抽出した前記他人の視線の個数や視線方向の角度に関する情報に基づいて、前記画面表示部の画面に表示する表示情報に対して前記他人からは該表示情報を読み取ることが不可能となるフィルタ処理を施すフィルタ制御処理部とを少なくとも備えてなることを特徴とする。
【００１２】
（３）本発明によるプライバシー保護方法は、周辺の状況を撮影する撮像部と各種情報を画面表示する画面表示部とを少なくとも備えた携帯機器または情報表示装置におけるプライバシー保護方法であって、前記撮像部によって撮影された撮影映像を解析し、当該携帯機器の前記画面表示部の画面に視線を向けている１ないし複数の他人が当該携帯機器のユーザ本人の周辺に存在していることを検知した場合に、前記他人の視線の個数およびそれぞれの視線方向の角度を抽出する視線監視処理ステップと、該視線監視処理ステップにて抽出した前記他人の視線の個数や視線方向の角度に関する情報に基づいて、前記画面表示部の画面に表示する表示情報に対して前記他人からは該表示情報を読み取ることが不可能となるフィルタ処理を施すフィルタ制御処理ステップとを少なくとも有してなることを特徴とする。
【００１３】
（４）本発明によるプライバシー保護プログラムは、少なくとも前記（３）に記載のプライバシー保護方法を、コンピュータによって実行可能なプログラムとして実施していることを特徴とする。
【発明の効果】
【００１４】
本発明の携帯機器、情報表示装置、プライバシー保護方法およびプライバシー保護プログラムによれば、以下のような効果を奏することができる。
【００１５】
第１に、携帯電話等の携帯機器やＰＣ等の情報表示装置の画面を他人に覗き見される状況が発生した場合、当該携帯機器や当該情報表示装置を操作するユーザ本人が意識することなく、該画面の表示情報に対するフィルタ処理を自動的に施すので、該画面に画面表示される表示情報を他人に覗き見されて読み取られることがなく、表示情報のプライバシーを保護することができる。
【００１６】
第２に、携帯電話等の携帯機器やＰＣ等の情報表示装置の画面を他人に覗き見される状況が発生した場合に、該画面の表示情報にフィルタ処理を自動的に施すので、当該携帯機器や当該情報表示装置を操作するユーザ本人に対して、他人が覗き見していることを直ちに通知することができる。
【図面の簡単な説明】
【００１７】
【図１】本発明に係る携帯機器の一例である携帯電話の外観を説明する構成図である。
【図２】図１に示す携帯電話における処理概要について説明するための説明図である。
【図３】本発明に係る携帯機器の一例である携帯電話の動作の一例を説明するためのフローチャートである。
【図４】本発明に係る携帯機器の一例である携帯電話の表示装置に表示情報を表示する際のフィルタ処理の一例を説明するための説明図である。
【発明を実施するための形態】
【００１８】
以下、本発明による携帯機器、情報表示装置、プライバシー保護方法およびプライバシー保護プログラムの好適な実施形態について添付図を参照して説明する。なお、以下の説明においては、本発明による携帯機器の一例である携帯電話およびそのプライバシー保護方法について説明するが、携帯機器ではなく、ＰＣ（Personal Computer）やＡＴＭ（Automated Teller Machine：現金自動預け払い機）等の画面表示部を有する情報表示装置についても、広く適用することが可能である。
【００１９】
また、かかるプライバシー保護方法をコンピュータにより実行可能なプライバシー保護プログラムとして実施するようにしても良いし、あるいは、プライバシー保護プログラムをコンピュータにより読み取り可能な記録媒体に記録するようにしても良いことは言うまでもない。なお、携帯機器としては、携帯電話のみならず、ＰＨＳ（Personal Handy-Phone System）端末、ＰＤＡ（Personal Digital Assistants）端末、ノートＰＣ等、画面表示部を有する携帯機器であれば如何なる端末であっても適用することができる。
【００２０】
（本発明の特徴）
本発明の実施形態の説明に先立って、本発明の特徴についてその概要をまず説明する。本発明は、携帯電話等の携帯機器やＰＣ等の情報表示装置に搭載したカメラを利用して、当該携帯機器や当該情報表示装置の周辺の状況を撮影することにより、周辺に存在する他人の視線を検知し、検知した結果に応じて、当該携帯機器や当該情報表示装置の画面に表示している表示情報を、当該携帯機器や当該情報表示装置のユーザ本人以外の他人には見え難くして、表示情報のプライバシー保護を行うことを可能とすることを主要な特徴としている。
【００２１】
例えば、携帯電話の場合、携帯電話に搭載のカメラを用いて、当該携帯電話を操作しているユーザ本人の周辺の状況（特に、ユーザ本人の背後の状況）を常に撮影し、撮影した映像について、顔認識処理を行うことによって、当該携帯電話を操作しているユーザ本人の周辺にどれくらいの他人が居て、その中に、当該携帯電話の画面に視線を向けている人が存在しているか否かを判別する。ここで、当該携帯電話の画面に視線を向けている他人が存在していると判別した場合（すなわち、当該携帯電話の画面に視線を向けている他人を検知した場合）には、検知した他人の視線の個数およびその視線方向の角度に応じた適切なフィルタ処理方法を選択して、画面表示しようとする表示情報に対してフィルタ制御処理を自動的に実施することにより、これらの他人に覗き見されないような適切な表示効果を表示情報に施すことを、主要な特徴としている。
【００２２】
而して、周辺に存在する他人に当該携帯電話の画面の表示内容を覗き見されることを自動的に防止することができ、当該携帯電話のユーザ本人は、自身で周辺に気を配る必要がなく、表示内容のプライバシーを確実に保護することが可能である。
【００２３】
また、場合によっては、当該携帯電話の画面に表する情報がプライバシーの保護を必要とする情報であるか否かに応じて、他人に覗き見されないような適切な表示効果を画面の表示情報に自動的に施す処理を実施するか否かを決定するようにしても良い。かかる場合には、当該携帯電話において、画面に表示する情報の属性を自動的に判別する機能を備えるようにしても良いし、あるいは、当該携帯電話のユーザ本人からのボタン操作によって、プライバシーの保護を必要とする情報を表示しようとしているか否かを識別するようにしても良い。
【００２４】
（本発明の実施形態）
本実施形態においては、前述したように、本発明に係る携帯機器、情報表示装置の一例として、携帯電話を例にとって、図面を用いて詳細に説明する。まず、図１を用いて、携帯電話の構成を説明する。図１は、本発明に係る携帯機器の一例である携帯電話の外観を説明する構成図である。
【００２５】
図１に示す携帯電話１は、携帯電話１の表面に、当該携帯電話１の操作を行うユーザ本人の周辺の状況（特にユーザ本人の背後を含む状況）を撮影することが可能な撮像部となるカメラ２と、ユーザの操作に応じた各種の情報を画面表示する画面表示部となる表示装置３とを少なくとも備えている。なお、カメラ２は、表示装置３の画面と同じ方向の周辺の状況を撮影するように、表示装置３の画面と同じ表面に配置されている。また、携帯電話１内のＣＰＵ（Central  Processing  Unit）の処理機能として、視線監視処理部４とフィルタ制御処理部５とが少なくとも内蔵されている。
【００２６】
視線監視処理部４は、携帯電話１に搭載されているカメラ２によって常時撮影されている撮影映像の顔認識処理を行うことによって、撮影映像に含まれている人物を認識し、認識した人物それぞれについて、当該携帯電話１のユーザ本人以外の他人の眼球の位置を確認することにより、当該携帯電話１の表示装置３の画面に視線を向けているか否かを判別して、表示装置３の画面に視線を向けていると判別した他人の視線の個数および視線方向の角度を抽出する処理を行う。
【００２７】
また、フィルタ制御処理部５は、視線監視処理部４の抽出結果に基づいて、表示装置３の画面に表示した表示情報を他人からは見え難くするためのフィルタ処理を施すことによって、表示情報のプライバシー保護を実現するための処理を行う。かかるフィルタ処理としては、例えば、表示装置３に画面表示しようとする情報に対して画像処理を行うことによって、表示情報のコントラストや彩度等を制御したり、あるいは、画面表示しようとする情報に対して他の画像を重ね合わせて、表示情報の背景との濃淡差となるコントラスト比を制御したり、あるいは、表示装置３の表示視野角を狭くするように制御した状態で表示情報を画面表示したりする。
【００２８】
図１において、携帯電話１のユーザ本人が当該携帯電話１の操作を行っている間は、カメラ２は、ユーザ本人の周辺の状況（ユーザ本人の背後の状況を含めて）を常時撮影している。そして、撮影した映像を当該携帯電話１内の視線監視処理部４において常時解析処理し、ユーザ本人の周辺に居る他人を検出するとともに、検出した他人それぞれの眼球位置の認識を行うことによって、当該携帯電話１の表示装置３に視線を向けている他人が周辺に存在しているか否かを判別している。
【００２９】
カメラ２の撮影映像の画像解析結果から、当該携帯電話１の表示装置３の画面に視線を向けている他人が存在していることが判別された場合、携帯電話１のフィルタ制御処理部５において、表示装置３に表示情報を画面表示する際に、表示装置３の画面に向かっている他人の視線の個数や視線方向の角度に基づいて、例えば、表示情報自体に画像処理を施したり、表示情報の背景に網掛けや模様等の画像を付加したり、表示装置３の視野角が狭くなるように制御したりする等の表示効果を自動的に施して、表示情報を画面表示する。
【００３０】
而して、ユーザ本人が何ら意識することなく、画面に正対して近い位置に居る当該携帯電話１のユーザ本人にのみ表示情報を視認することができるようにし、画面から少し離れていたり、画面に正対していない場所に居たりする他人からは表示情報を見え難い状態に自動的に設定する。
【００３１】
かくのごとき処理の概要について、図２を用いてさらに説明する。図２は、図１に示す携帯電話１における処理概要について説明するための説明図であり、携帯電話１のカメラ２によって撮影した撮影映像と表示装置３に画面表示される表示情報について、具体例を示している。
【００３２】
図２に示す具体例においては、カメラ２によって撮影した撮影映像２１には、当該携帯電話１のユーザ本人の他に、人物Ａ、人物Ｂ、人物Ｃの３人が撮影されており、かつ、ユーザ本人以外に、人物Ａ、人物Ｂ、人物Ｃの３人のいずれも、当該携帯電話１の表示装置３の画面に視線を向けている場合を示している。一方、表示装置３に画面表示されている表示情報３１は、例えばプライバシーを必要とする属性を有する情報「ＡＢＣ  ×××…×  ×××…×」であった場合を示している。
【００３３】
カメラ２の撮影結果を常時解析している携帯電話１内の視線監視処理部４において、撮影映像２１に示すように、顔認識処理の結果、ユーザ本人の周辺に存在している他人として、人物Ａ、人物Ｂ、人物Ｃの３人が存在しており、それぞれの人物の眼球位置の認識処理の結果として、人物Ａ、人物Ｂ、人物Ｃの３人のいずれもが、当該携帯電話１の表示装置３の画面方向に視線を向けて、表示装置３の画面の表示情報３１を覗き見している可能性があると判別する。さらに、かかる場合には、表示装置３の画面方向に視線を向けている視線の個数（この場合、６個）と、それぞれの視線方向の画面に対する角度とに関する情報を出力する。
【００３４】
視線監視処理部４においてかくのごとき監視結果が出力された場合、フィルタ制御処理部５においては、表示情報３１を画面表示する際に、視線監視処理部４における監視結果に基づいて、表示装置３の画面に視線を向けている人物Ａ、人物Ｂ、人物Ｃの３人のいずれからも、表示情報３１が見え難くなるような表示効果３２を選択して、選択した表示効果３２を自動的に施した状態で、表示情報３１を画面表示する。而して、当該携帯電話１のユーザ本人が何ら操作を行うことなく、当該携帯電話１のユーザ本人以外の他人からは表示情報３１を覗き見することができない状態に自動的に設定されることになり、表示情報３１に関するプライバシーを保護することが可能になる。
【００３５】
次に、図１に示す携帯電話１の動作について、図３に示すフローチャートを用いてさらに詳細に説明する。図３は、本発明に係る携帯機器の一例である携帯電話１の動作の一例を説明するためのフローチャートであり、本発明に係るプライバシー保護方法の一例を説明している。なお、図３（Ａ）は、携帯電話１のカメラ２によって撮影した撮影映像から周辺に居る人物の視線を検出する視線監視処理部４の動作の一例を示し、図３（Ｂ）は、図３（Ａ）における視線監視処理部４の処理結果に基づいて、携帯電話１の表示装置３に画面表示する際の表示効果を施すフィルタ制御処理部５の動作の一例を示している。
【００３６】
まず、図３（Ａ）の視線監視処理部４のフローチャートにおいては、携帯電話１のカメラ２によって、当該携帯電話１を操作するユーザ本人の周辺の状況を常時撮影し、撮影映像として取得する（ステップＳ１）。図３（Ａ）のステップＳ１に示す撮影映像の例においては、当該携帯電話１の周辺の状況として、周辺に存在する人物について、当該携帯電話１のユーザ本人の映像を除いた映像情報を示しており、ユーザ本人以外に３人の人物が写っており、３人のいずれも、当該携帯電話１の表示装置３の画面に向かって視線を向けている場合を例示している。
【００３７】
次に、ステップＳ１において取得した撮影映像から顔認識処理によって、３人の人物の顔を認識するとともに、それぞれの人物の眼球の位置を認識して、３人の人物それぞれの視線の抽出処理を行う（ステップＳ２）。図３（Ａ）のステップＳ２に示す撮影映像の例においては、３人のいずれも、両方の目が当該携帯電話１の表示装置３の画面に向かって視線を向けていることを検出する。つまり、当該携帯電話１の表示装置３の画面には、合計６個の視線が向いていることを抽出する。さらに、表示装置３の画面に向いているそれぞれの視線の角度を算出する。
【００３８】
なお、視線の検出方法については、例えば、特開２００５−１４１３１８号公報「輪郭判断装置および輪郭表示装置」や特開２００７−２１３３７６号公報「顔部位判定方法及びその装置」等に記載されている従来の顔認識処理や視線認識処理の技術を適用すれば良い。
【００３９】
しかる後、視線監視処理部４の処理結果として、抽出した視線の個数およびそれぞれの視線方向の表示装置３への角度に関する情報を、図３（Ｂ）に動作の一例を示すフィルタ制御処理部５に対して通知する（ステップＳ３）。
【００４０】
図３（Ａ）に示す動作を行った視線監視処理部４の処理結果を受け取ると、図３（Ｂ）のフィルタ制御処理部５のフローチャートにおいては、まず、表示装置３の画面に向いている他人の視線（ユーザ本人以外の他人の視線）があるか否かを判別する（ステップＳ１１）。表示装置３の画面に向いている他人の視線が存在していない場合には（ステップＳ１１のＮＯ）、表示装置３の表示情報を他人に覗き見されることはないので、画面に表示する表示情報に対してフィルタ処理を一切施すことなく、そのまま、視認し易い適切なコントラストを有する表示情報を表示装置３に画面表示して、ユーザ本人に通知する（ステップＳ１２）。
【００４１】
一方、表示装置３の画面に向いている他人の視線が存在している場合には（ステップＳ１１のＹＥＳ）、他人の視線の個数およびそれぞれの視線の角度に基づいて、他人それぞれからは見え難くなるようなフィルタ処理を選択して、選択したフィルタ処理を表示情報に設定した状態にして、表示情報を表示装置３に画面表示する（ステップＳ１３）。これにより、ユーザ本人のみが表示情報を視認することができるものの、たとえ、他人が表示装置３の画面を覗き見していたとしても、他人からは画面表示されている表示情報を読み取ることが不可能な状態になり、表示情報のプライバシーを保護することができる。
【００４２】
次に、覗き見しようとする他人からは表示情報が見え難くなるフィルタ処理の一例について、図４を用いて説明する。図４は、本発明に係る携帯機器の一例である携帯電話１の表示装置３に表示情報を表示する際のフィルタ処理の一例を説明するための説明図であり、画面に正対し、かつ、近い位置に居るユーザ本人に対しては、表示情報の視認性は良いものの、覗き見しようとする周辺の他人には見え難くなるフィルタ処理の一例を示している。
【００４３】
図４において、図４（Ａ）は、フィルタ制御処理を実施する前の通常の表示情報を画面表示している一例として、カレンダ情報を画面表示している場合を示しており、コントラストが強く、画面から少し離れてもカレンダ情報を明確に視認することが可能な状態で表示されている。図４（Ｂ）は、図４（Ａ）のような通常の表示情報に対するフィルタ制御処理として、覗き見している視線の個数や視線角度に応じて該当する適切なフィルタ処理を選択して、選択したフィルタ処理を表示情報に掛けることによって、表示情報の濃淡すなわちコントラストを制御する画像変換処理を施して、表示情報を覗き見しようとする周辺の他人からは、表示情報を見え難くする例を示している。
【００４４】
また、図４（Ｂ）は、図４（Ａ）のような通常の表示情報に対するフィルタ制御処理として、覗き見している視線の個数や視線角度に応じて該当する適切な色彩や模様の画像を選択して、選択した画像を表示情報と重ね合わせることによって、背景と表示情報との濃淡差すなわちコントラスト比を制御して、表示情報を覗き見しようとする周辺の他人からは、表示情報を見え難くする例を示している。また、図４（Ｃ）は、図４（Ａ）のような通常の表示情報に対するフィルタ制御処理として、覗き見している視線の個数や視線角度に応じて、表示情報を視認することができる視野角を制御することによって、表示情報を覗き見しようとする周辺の他人からは、表示情報を見え難くする例を示している。
【００４５】
ここで、図４（Ｃ）の視野角の制御については、携帯電話１の表示装置３に備えられている視野角制御用ハードウェアに対して制御指令を出力することによって実施される。また、図４（Ｂ）の画像と表示情報との重ね合わせ処理についても、ソフトウェア処理のみに限るものではなく、携帯電話１の表示装置３に備えられている重ね合わせ制御用ハードウェアに対して制御指令を出力することによって実施されるようにしても良い。
【００４６】
なお、図４には図示していないが、表示情報に対するフィルタ処理の異なる例として、例えば、画面表示しようとする表示情報の表示装置３における表示位置や表示サイズを、覗き見している視線の個数や視線角度に応じて、変更するように制御するようにしても良い。
【００４７】
以上のようなプライバシー保護方法を実施することによって、たとえ、第三者が携帯電話１の表示装置３の表示情報を覗き見しているような状況が発生しても、表示装置３に画面表示する表示情報に他人からは見え難くなるようなフィルタ処理を自動的に施すことが可能であり、携帯電話１のユーザ本人が意識することなく、表示情報のプライバシーを確実に保護することができる。
【００４８】
なお、前述したように、他人から覗き見される恐れがない状況で使用している場合には、フィルタ処理を施すことなく、通常の画面表示方法によって表示情報を良好なコントラスト状態で画面表示するので、ユーザ本人にとって、より見易い状態で表示情報を視認することができる。
【００４９】
また、前述のようなフィルタ処理を施す場合は、プライバシーを保護する必要がある情報を画面表示する場合に限るようにしても良い。つまり、表示情報を画面表示しようとする際に、画面表示しようとする情報の属性を自動的に確認することによって、プライバシー保護の対象となる情報か否かを判別し、プライバシー保護の対象であると判定した場合に、表示装置３に対する他人の視線を確認して、他人の視線の個数や視線角度に応じて、フィルタ処理を適宜実施するようにしても良い。あるいは、場合によっては、プライバシーの保護を必要とする情報を画面表示しようとしていることをユーザ本人が指示するためのプライバシー保護ボタンを携帯電話１の操作部に備えるようにし、携帯電話１のユーザ本人によって、該プライバシー保護ボタンの操作がなされていることを検知した際に、表示情報を確認することなく、強制的に、他人の視線の個数や視線方向の角度に応じたフィルタ処理を施すようにしても良い。
【００５０】
（実施形態の効果の説明）
以上に詳細に説明したように、本実施形態においては、次のような効果を得ることができる。
【００５１】
第１に、携帯電話１の表示装置３の画面を他人に覗き見される状況が発生した場合、携帯電話１を操作するユーザ本人が意識することなく、表示装置３に画面表示する表示情報に対するフィルタ処理を自動的に施すので、携帯電話１の表示装置３の画面に画面表示される表示情報を他人に覗き見されて読み取られることがなく、表示情報のプライバシーを保護することができる。
【００５２】
第２に、携帯電話１の表示装置３を他人に覗き見される状況が発生した場合に、表示装置３の画面に画面表示される表示情報にフィルタ処理を自動的に施すので、携帯電話１を操作するユーザ本人に対して、他人が覗き見していることを直ちに通知することができる。
【００５３】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５４】
１      携帯電話
２      カメラ
３      表示装置
４      視線監視処理部
５      フィルタ制御処理部
２１    撮影映像
３１    表示情報
３２    表示効果
【図１】
2012129701.tif 000003
【図２】
2012129701.tif 000004
【図３】
2012129701.tif 000005
【図４】
2012129701.tif 000006